(57)【要約】      （修正有）【課題】ＬＥＤ灯管内部の電子部材を発生熱の観点で均等配置し、温度低減を図る熱均等分布式ＬＥＤ灯管を提供する。【解決手段】上記の熱均等分布式ＬＥＤ灯管は、内部が中空を呈する透光管体１と、透光管体内に置かれるＬＥＤ灯組２と、それぞれ透光管体端口箇所に設けられる２つの導電端蓋３と、回路制御ユニットと、を含み、前記回路制御ユニットが構造上、複数の部分に分離されて構成され、且つ回路制御ユニットの各部分がＬＥＤ灯組の回路板上に均等に分布してなり、これにより上記の目的を達成する。【選択図】図３
0003145178.tif 000002
【実用新案登録請求の範囲】
【請求項１】
内部が中空を呈する長形管状体であり、両端が開口状である透光管体と、
該透光管体内に置かれる回路板と、該回路板上に敷設される複数のＬＥＤ灯を含むＬＥＤ灯組と、
それぞれ該透光管体の両端口箇所に設けられ、該ＬＥＤ灯組の回路板と電気接続する２つの導電端蓋と、
該ＬＥＤ灯組の回路板上に電気接続される回路制御ユニットと、
を含み、そのうち、該回路制御ユニットが構造上、複数の部分に分離されて構成され、且つ該回路制御ユニットの該各部分がＬＥＤ灯組の回路板上に均等に分布してなる熱均等分布式ＬＥＤ灯管。
【請求項２】
前記回路制御ユニットの各部分が何れも制御回路板および該制御回路板上の変圧ユニットからなる請求項１記載の熱均等分布式ＬＥＤ灯管。
【請求項３】
前記回路制御ユニットの各部分間が導線を介して電気整合接続される請求項２記載の熱均等分布式ＬＥＤ灯管。
【請求項４】
前記回路制御ユニットの各部分間がそれぞれＬＥＤ灯組の回路板上に電気接続され、該回路板を介して整合する請求項２記載の熱均等分布式ＬＥＤ灯管。
【請求項５】
前記回路制御ユニットの各部分間が導線を介して電気整合接続される請求項１記載の熱均等分布式ＬＥＤ灯管。
【請求項６】
前記回路制御ユニットの各部分間がそれぞれＬＥＤ灯組の回路板上に電気接続され、該回路板を介して整合する請求項１記載の熱均等分布式ＬＥＤ灯管。
【考案の詳細な説明】
【技術分野】
【０００１】
本考案は、灯管に関し、特に、蛍光灯に置き換えることに用いるＬＥＤ灯管に関する。
【背景技術】
【０００２】
図１に示すように、従来のＬＥＤ灯管は、ガラス管体１ａおよびＬＥＤ灯組２ａ等の構成部材を有する。該ＬＥＤ灯組２ａは、管体１０ａ内に水平横置きされる回路板２０ａを含み、該回路板２０ａ面に下向きの表面上に複数のＬＥＤ灯２１ａ、即ち発光ダイオードを設ける。その上向きの表面には、回路制御ユニット２２ａを設け、発光ダイオードの使用に適合する電流と電圧に変換することに用いる。また、管体１ａの２つの端口箇所にそれぞれ導電端蓋１０ａを取り付け、回路板２０ａと電気接続させ、これにより複数の発光ダイオードから組成されるＬＥＤ灯管を構成し、従来の蛍光灯管に置き換えることができる。
【０００３】
しかしながら、この種のＬＥＤ灯は、電子部材配置の設計構造上、上記回路制御ユニット２２ａを回路板２０ａの一側箇所に配置し、即ち、該灯管１ａの１つの端上に集中して配置され、もう１つの端には、その他の電子部材が配置されなくなる。このように、各電子部材が整合をなすことには有利であるが、該ＬＥＤ灯管は、実際の使用時、熱量が回路板２０ａの同一側に集中し、該側及びその近隣のＬＥＤ灯２１ａに影響を及ぼし、この部位のＬＥＤ灯２１ａは、ヒートシンク効果が悪くなり、早期に損壊を生じ、ＬＥＤ灯管全体の交換が必要となるので、その使用寿命を短縮させる重大な欠陥を有し、寿命に達していないＬＥＤ灯２１ａの浪費を引き起こす。
【特許文献１】特開２００４−１１１１０４号公報
【考案の開示】
【考案が解決しようとする課題】
【０００４】
本考案の目的は、ＬＥＤ灯管の各ＬＥＤ灯の受熱分布状況を考慮し、回路板上に電気接続する各電子部材を均等に配置し、該電子部材が発生する熱量が回路板上の同一側または同一箇所に集中することなく、ＬＥＤ灯管内部の熱量を均等化でき、温度を低減し、熱量をより容易に散逸する熱均等分布式ＬＥＤ灯管を提供することである。
【課題を解決するための手段】
【０００５】
上記の目的を達成するため、本考案が提供する熱均等分布式ＬＥＤ灯管は、内部が中空を呈する透光管体と、透光管体内に置かれるＬＥＤ灯組と、それぞれ透光管体端口箇所に設けられる２つの導電端蓋と、回路制御ユニットと、を含み、前記回路制御ユニットが構造上、複数の部分に分離されて構成され、且つ回路制御ユニットの各部分がＬＥＤ灯組の回路板上に均等に分布してなり、これにより上記の目的を達成する。
すなわち、本考案は下記の特徴を有する。
（１）内部が中空を呈する長形管状体であり、両端が開口状である透光管体と、
該透光管体内に置かれる回路板と、該回路板上に敷設される複数のＬＥＤ灯を含むＬＥＤ灯組と、
それぞれ該透光管体の両端口箇所に設けられ、該ＬＥＤ灯組の回路板と電気接続する２つの導電端蓋と、
該ＬＥＤ灯組の回路板上に電気接続される回路制御ユニットと、
を含み、そのうち、該回路制御ユニットが構造上、複数の部分に分離されて構成され、且つ該回路制御ユニットの該各部分がＬＥＤ灯組の回路板上に均等に分布してなる熱均等分布式ＬＥＤ灯管。
（２）前記回路制御ユニットの各部分が何れも制御回路板および該制御回路板上の変圧ユニットからなる（１）記載の熱均等分布式ＬＥＤ灯管。
（３）前記回路制御ユニットの各部分間が導線を介して電気整合接続される（２）記載の熱均等分布式ＬＥＤ灯管。
（４）前記回路制御ユニットの各部分間がそれぞれＬＥＤ灯組の回路板上に電気接続され、該回路板を介して整合する（２）記載の熱均等分布式ＬＥＤ灯管。
（５）前記回路制御ユニットの各部分間が導線を介して電気整合接続される（１）記載の熱均等分布式ＬＥＤ灯管。
（６）前記回路制御ユニットの各部分間がそれぞれＬＥＤ灯組の回路板上に電気接続され、該回路板を介して整合する（１）記載の熱均等分布式ＬＥＤ灯管。
【考案の効果】
【０００６】
本考案の熱均等分布式ＬＥＤ灯管は、ＬＥＤ灯管の各ＬＥＤ灯の受熱分布状況を考慮し、回路板上に電気接続する各電子部材を均等に配置し、該電子部材が発生する熱量が回路板上の同一側または同一箇所に集中することなく、ＬＥＤ灯管内部の熱量を均等化でき、温度を低減し、熱量をより容易に散逸する。
【考案を実施するための最良の形態】
【０００７】
上記の目的及び効果を達成するため、本考案が採用する構造の技術的特徴及びその効果を理解し易くするため、図面及び本考案の実施例と合わせて以下にその特徴および機能を説明する。
【０００８】
図２及び図３は、それぞれ本考案の第１実施例の立体説明図及び断面説明図である。本考案が提供する熱均等分布式ＬＥＤ灯管は、透光管体１と、ＬＥＤ灯組２と、２つの導電端蓋３と、回路制御ユニット４と、を含み、そのうち、該透光管体１は、内部が中空を呈する長形管状体であり、その２つの端は開口状を呈し、透光材質から形成され、上記ＬＥＤ灯組２と回路制御ユニット４等の部材を収容することに用いる。
【０００９】
該ＬＥＤ灯組２は、上記透光管体１内部に水平横置きされる回路板２０および該回路板２０面の下向き表面上の設けられる複数のＬＥＤ灯２１を含む（図３参照）。該ＬＥＤ灯２１は、発光ダイオードであり、該回路板２０上に排列され、該回路板と共同で透光管体１内部に収容され、透光管体１の側方向環壁面に向けて光源を投射することに用いられる。
【００１０】
該２つの導電端蓋３は、それぞれ上記透光管体１の２つの端の開口箇所に取り付けられ、ＬＥＤ灯組２の回路板２０と電気接続し、前記ＬＥＤ灯組２が該２つの導電端蓋３を介して電力を提供できるようにする。
【００１１】
本考案の目的は、上記回路制御ユニット４の構造上、複数の部分４０に分離して構成され、各部分４０が何れも制御回路板４００および該制御回路板４００上の変圧ユニット４０１等から組成され、上記各ＬＥＤ灯２１が使用する電流及び電圧に適合するよう変換することに用い、且つ各部分４０間が、導線４１を介して電気整合接続されるか、上記ＬＥＤ灯組２の回路板２０上に電気接続され、該回路板２０を介して電気整合することができることである。
【００１２】
これにより、該回路制御ユニット４は、電気機能上、各部分４０が整合してなり、構造上は、各部分４０に分割している。本実施例中、該回路制御ユニット４は、２つの前記部分４０に分割し、それぞれＬＥＤ灯組２の回路板２０の透光管体１近隣の２つの端箇所に配置される。このように、該回路制御ユニット４の各部分４０は、ＬＥＤ灯組２の回路板２０上に均等に分布するので、ＬＥＤ灯管の実際の使用時、回路制御ユニット４が発生する熱量を管理するだけで回路板２０上のヒートシンクを均衡に分布させることができ、熱量が過度に同一側または同一箇所に集中し、該箇所のＬＥＤ灯２１が過熱により早期損壊することがなく、この熱均等分布の配置設計を介して、ＬＥＤ灯管内の温度を低減し、より容易にヒートシンク効果を達成する。
【００１３】
また、図４に示すように、本考案が挙げる第２実施例中、該回路制御ユニット４は、３つの前記部分４０に分割され、回路制御ユニット４の配置を更に均等化している。従って、該回路制御ユニット４をいくつの部分４０に分割するべきかについては、ＬＥＤ灯管の実際の熱点を考慮し、分割する数量を決定することができ、２つまたは３つに限定するものではない。
【００１４】
上記の構造によって、本考案の熱均等分布式ＬＥＤ灯管を得ることができる。
【００１５】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【図面の簡単な説明】
【００１６】
【図１】従来のＬＥＤ灯管の断面説明図である。
【図２】本考案の第１実施例の立体説明図である。
【図３】本考案の第１実施例の断面説明図である。
【図４】本考案の第２実施例の断面説明図である。
【符号の説明】
【００１７】
１ａ  管体
２ａ  ＬＥＤ灯組
２０ａ  回路板
２１ａ  ＬＥＤ灯
２２ａ  回路制御ユニット
１  透光管体
２  ＬＥＤ灯組
２０  回路板
２１  ＬＥＤ灯
３  導電端蓋
４  回路制御ユニット
４０  部分
４００  制御回路板
４０１  変圧ユニット
４１  導線
【図１】
0003145178.tif 000003
【図２】
0003145178.tif 000004
【図３】
0003145178.tif 000005
【図４】
0003145178.tif 000006